(57)【要約】【課題】本邦通過と外国通貨のいずれをもちいても商品購入が行える自動販売機の制御装置を提供することを目的とする。【解決手段】演算制御部４ｂが、販売金額を為替レート記憶手段６に記憶している為替レートに基づいて円単位に換算して精算した後、精算金額をカードに書き込むことで、外貨でも商品の購入ができる。【選択図】図１
2011048727.tif 000002
【特許請求の範囲】
【請求項１】
データを書き込み可能なデータ記憶部を有するカードと、該カードのデータの読取・書込を行うカード読取・書込手段を備える自動販売機において、前記データ記憶部には外貨を識別するための外貨識別コードが記憶され、前記カード読取・書込手段は、カードの外貨識別コードに応じた為替レートを記憶する為替レート記憶手段と、為替レートが入力できる為替レート入力手段と、販売金額を前記為替レート記憶手段に記憶している為替レートに基づいて円単位に換算して精算した後、清算金額を前記カードに書き込む演算制御部を備え、前記演算制御部は、前記カードの外貨識別コードに基づき、為替レート記憶手段に記憶している為替レートにて精算することを特徴とした自動販売機の制御装置。
【請求項２】
為替レートを通信にて受信できる為替レート受信手段を備え、前記演算制御部は、為替レート受信手段から受信した為替レートを為替レート記憶手段に記憶し、前記演算制御部は、前記カードの外貨識別コードに基づき、為替レート記憶手段に記憶している為替レートにて精算することを特徴とした請求項１に記載の自動販売機の制御装置。
【請求項３】
使用するカードに対応した為替レートを表示する為替レート表示手段を備え、前記演算制御部は、前記カードの外貨識別コードに基づき、為替レート記憶手段に記憶している為替レートを表示することを特徴とした請求項１に記載の自動販売機の制御装置。
【請求項４】
国内通貨で金額表示する表示手段を備え、前記演算制御部は、前記カードの外貨識別コードに基づき、カードの残金を国内通貨で表示することを特徴とした請求項１に記載の自動販売機の制御装置。
【請求項５】
海外通貨別に販売した金額を累計する海外通貨別累計手段を備え、前記演算制御部は、販売する毎に海外通貨別に販売金額を累計することを特徴とした請求項１に記載の自動販売機の制御装置。
【発明の詳細な説明】
【技術分野】
【０００１】
本発明は、自動販売機の海外通貨を用いた商品購入の制御装置に関するものである。
【背景技術】
【０００２】
従来、プリペイドカードによる販売方式は予め一定割合に決められた販売金額に相当する数値（金額）をカードに入力しておき、実際の販売金額に相当する数値を加算、減算するものである。（例えば、特許文献１参照）
また、近年では、カード自販機の利用者が貨幣を投入したときに、所定の利用額をエンコードしている自販機もある。
【０００３】
以下、図面を参照しながら、従来の自動販売機について説明する。
【０００４】
図１１は従来の自動販売機の制御装置のブロック図を示すものである。また、図１２は従来の自動販売機の制御装置の動作を示すフローチャートである。図１１において、カード読取・書込手段１と、販売可能ランプや売切れランプ等の商品関連ランプを内包し商品を購入する際に押す選択ボタンを持つ商品選択手段２と、カードの残高を表示する残高表示手段３ａと、カードの残高から販売金額を減算し、残高表示手段３ａに残高を表示する演算制御部４ａが設けられている。
【０００５】
また、図１２において、購入者は、まずカードをカード読取・書込手段１に挿入する（ＳＴＥＰ１）。すると演算制御部４ａは、残高表示手段３ａにカードの残高を表示する（ＳＴＥＰ２）。次に商品選択手段２が押されると（ＳＴＥＰ３）販売金額をカードから減算する（ＳＴＥＰ４）。そして、演算制御部４ａは、カードの残高を表示し（ＳＴＥＰ５）、商品を販売する（ＳＴＥＰ６）。
【先行技術文献】
【特許文献】
【０００６】
【特許文献１】特開平９−１３４４７１号公報
【発明の概要】
【発明が解決しようとする課題】
【０００７】
しかしながら、近年は国際化、金融自由化の流れにより、日本国内においても円貨幣のみならずドル等の外国貨幣でも、商品購入支払い可能な通貨として使用できる環境にある。こうした時流にありながら、プリペイドカードによる販売方式では円貨幣しか使用できず、ドル貨幣では商品購入ができないという課題を有していた。
【０００８】
本発明は、前記従来の課題を解決するもので、本邦通過と外国通貨のいずれをもちいても商品購入が行える自動販売機の制御装置を提供することを目的とする。
【課題を解決するための手段】
【０００９】
前記従来の課題を解決するために、本発明の自動販売機の制御装置は、データを書き込み可能なデータ記憶部を有するカードと、該カードのデータの読取・書込を行うカード読取・書込手段を備える自動販売機において、前記データ記憶部には外貨を識別するための外貨識別コードが記憶され、前記カード読取・書込手段は、カードの外貨識別コードに応じた為替レートを記憶する為替レート記憶手段と、為替レートが入力できる為替レート入力手段と、販売金額を前記為替レート記憶手段に記憶している為替レートに基づいて円単位に換算して精算した後、清算金額を前記カードに書き込む演算制御部を備え、前記演算
制御部は、前記カードの外貨識別コードに基づき、為替レート記憶手段に記憶している為替レートにて清算するとしたものである。
【００１０】
これによって、外貨のプリペイドカードでも商品を購入することができる。
【発明の効果】
【００１１】
本発明の自動販売機の制御装置は、外貨を円通貨に換算して清算するようにしたので、日本国内においてドル通貨等の外貨等を使用してカード取引を行うことができる。
【図面の簡単な説明】
【００１２】
【図１】本発明による自動販売機の制御装置の実施の形態１のブロック図
【図２】同実施の形態の自動販売機の制御装置の動作を示すフローチャート
【図３】本発明による自動販売機の制御装置の実施の形態２のブロック図
【図４】同実施の形態の自動販売機の制御装置の動作を示すフローチャート
【図５】本発明による自動販売機の制御装置の実施の形態３のブロック図
【図６】同実施の形態の自動販売機の制御装置の動作を示すフローチャート
【図７】本発明による自動販売機の制御装置の実施の形態４のブロック図
【図８】同実施の形態の自動販売機の制御装置の動作を示すフローチャート
【図９】本発明による自動販売機の制御装置の実施の形態５のブロック図
【図１０】同実施の形態の自動販売機の制御装置の動作を示すフローチャート
【図１１】従来の自動販売機の制御装置のブロック図
【図１２】従来の自動販売機の制御装置の動作を示すフローチャート
【発明を実施するための形態】
【００１３】
請求項１に記載の発明は、データを書き込み可能なデータ記憶部を有するカードと、該カードのデータの読取・書込を行うカード読取・書込手段を備える自動販売機において、前記データ記憶部には外貨を識別するための外貨識別コードが記憶され、前記カード読取・書込手段は、カードの外貨識別コードに応じた為替レートを記憶する為替レート記憶手段と、為替レートが入力できる為替レート入力手段と、販売金額を前記為替レート記憶手段に記憶している為替レートに基づいて円単位に換算して精算した後、清算金額を前記カードに書き込む演算制御部を備え、前記演算制御部は、前記カードの外貨識別コードに基づき、為替レート記憶手段に記憶している為替レートにて精算するものであり、外貨のプリペイドカードでも商品を購入することができる。
【００１４】
請求項２に記載の発明は、請求項１に記載の発明において、為替レートを通信にて受信できる為替レート受信手段を備え、前記演算制御部は、為替レート受信手段から受信した為替レートを為替レート記憶手段に記憶し、前記演算制御部は、前記カードの外貨識別コードに基づき、為替レート記憶手段に記憶している為替レートにて精算するものであり、前記カードの外貨識別コードに基づき、為替レート記憶手段に記憶している為替レートにて清算することができる。
【００１５】
請求項３に記載の発明は、請求項１に記載の発明において、使用するカードに対応した為替レートを表示する為替レート表示手段を備え、前記演算制御部は、前記カードの外貨識別コードに基づき、為替レート記憶手段に記憶している為替レートを表示するものであり、前記カードの外貨識別コードに基づき、為替レート記憶手段に記憶している為替レートを表示することができる。
【００１６】
請求項４に記載の発明は、請求項１に記載の発明において、国内通貨で金額表示する表示手段を備え、前記演算制御部は、前記カードの外貨識別コードに基づき、カードの残金を国内通貨で表示するものであり、、前記カードの外貨識別コードに基づき、カードの残
金を国内通貨で表示することができる。
【００１７】
請求項５に記載の発明は、請求項１に記載の発明において、海外通貨別に販売した金額を累計する海外通貨別累計手段を備え、前記演算制御部は、販売する毎に海外通貨別に販売金額を累計するものであり、販売する毎に海外通貨別に販売金額を累計することができる。
【００１８】
以下、本発明の実施の形態について、図面を参照しながら説明するが、先の実施の形態で説明した同一構成については、同一符号を付して詳細な説明を省略する。なお、この実施の形態によってこの発明が限定されるものではない。
【００１９】
（実施の形態１）
図１は本発明の実施の形態１による自動販売機の制御装置の機能ブロック図である。図２は、同実施の形態の動作を示すフローチャートである。
【００２０】
図１において、為替レートを入力する為替レート入力手段５と、前記為替レート入力手段５から入力された為替レートを記憶する為替レート記憶手段６と、販売金額を為替レートで換算する演算制御部４ｂが設けられている。
【００２１】
以上のように構成された自動販売機の制御装置について、以下その動作を図２のフローチャートをもとにして説明する。
【００２２】
まず、為替レートを為替レート入力手段５から入力する（ＳＴＥＰ７）。入力された為替レートは、為替レート記憶手段に記憶される（ＳＴＥＰ８）。購入者は、カードをカード読取・書込手段１に挿入する（ＳＴＥＰ９）。すると演算制御部４ａは、残高表示手段３ａにカードの残高を表示する（ＳＴＥＰ１０）。次に商品選択手段２が押されると（ＳＴＥＰ１１）販売金額を為替レートで換算し（ＳＴＥＰ１２）、換算した販売金額をカードから減算する（ＳＴＥＰ１３）。そして、演算制御部４ｂは、カードの残高を表示し（ＳＴＥＰ１４）、商品を販売する（ＳＴＥＰ１５）。
【００２３】
以上のように本実施の形態１の自動販売機の制御装置によれば、外貨のカードを為替レート記憶手段６に記憶している為替レートにて換算することで、外貨のカードで商品を購入することができる。
【００２４】
（実施の形態２）
図３は本発明の実施の形態２による自動販売機の制御装置の機能ブロック図である。図４は、同実施の形態の動作を示すフローチャートである。
【００２５】
図３において、７は、為替レートを受信する為替レート受信手段である。４ｃは、為替レートを受信して為替レート記憶手段に記憶する演算制御部である。
【００２６】
以上のように構成された自動販売機の制御装置について、以下その動作を図４のフローチャートをもとにして説明する。
【００２７】
まず、為替レートを為替レート受信手段７から受信する（ＳＴＥＰ１６）。受信した為替レートは、為替レート記憶手段に記憶される（ＳＴＥＰ１７）。購入者は、カードをカード読取・書込手段１に挿入する（ＳＴＥＰ１８）。すると演算制御部４ｃは、残高表示手段３ａにカードの残高を表示する（ＳＴＥＰ１９）。次に商品選択手段２が押されると（ＳＴＥＰ２０）販売金額を為替レートで換算し（ＳＴＥＰ２１）、換算した販売金額をカードから減算する（ＳＴＥＰ２２）。そして、演算制御部４ｃは、カードの残高を表示
し（ＳＴＥＰ２３）、商品を販売する（ＳＴＥＰ２４）。
【００２８】
以上のように本実施の形態２の自動販売機の制御装置によれば、定期的に為替レートを読み込むことにより、いちいち為替レートを入力することなく、外貨のカードを為替レート記憶手段６に記憶している為替レートにて換算することで、外貨のカードで商品を購入することができる。
【００２９】
（実施の形態３）
図５は本発明の実施の形態３による自動販売機の制御装置の機能ブロック図である。図６は、同実施の形態の動作を示すフローチャートである。
【００３０】
図５において、８は、為替レート表示手段である。４ｅは、為替レート表示手段に為替レートを表示する演算制御部である。
【００３１】
以上のように構成された自動販売機の制御装置について、以下その動作を図６のフローチャートをもとにして説明する。
【００３２】
まず、為替レートを為替レート入力手段５から入力する（ＳＴＥＰ２５）。入力された為替レートは、為替レート記憶手段に記憶される（ＳＴＥ２６）。購入者は、カードをカード読取・書込手段１に挿入する（ＳＴＥＰ２７）。すると演算制御部４ｄは、残高表示手段３ａにカードの残高を表示し（ＳＴＥＰ２８）、為替レート表示手段８に為替レートを表示する（ＳＴＥＰ２９）。次に商品選択手段２が押されると（ＳＴＥＰ３０）販売金額を為替レートで換算し（ＳＴＥＰ３１）、換算した販売金額をカードから減算する（ＳＴＥＰ３２）。そして、演算制御部４ｄは、カードの残高を表示し（ＳＴＥＰ３３）、商品を販売する（ＳＴＥＰ３４）。
【００３３】
以上のように本実施の形態３の自動販売機の制御装置によれば、商品を購入する前に購入時の為替レートが分かるため商品を購入するかしないかの判断ができる。
【００３４】
（実施の形態４）
図７は本発明の実施の形態４による自動販売機の制御装置の機能ブロック図である。図８は、同実施の形態の動作を示すフローチャートである。
【００３５】
図７において、４ｅは、カードの残高を為替レートに換算する演算制御部である。
【００３６】
以上のように構成された自動販売機の制御装置について、以下その動作を図８のフローチャートをもとにして説明する。
【００３７】
まず、為替レートを為替レート入力手段５から入力する（ＳＴＥＰ３５）。入力された為替レートは、為替レート記憶手段に記憶される（ＳＴＥ３６）。購入者は、カードをカード読取・書込手段１に挿入する（ＳＴＥＰ３７）。すると演算制御部４ｅは、カードの残高を為替レートで換算し（ＳＴＥＰ３８）、残高表示手段３ａにカードの残高を表示する（ＳＴＥＰ３９）。次に商品選択手段２が押されると（ＳＴＥＰ４０）販売金額を為替レートで換算し（ＳＴＥＰ４１）、換算した販売金額をカードから減算する（ＳＴＥＰ４２）。そして、演算制御部４ｅは、カードの残高を表示し（ＳＴＥＰ４３）、商品を販売する（ＳＴＥＰ４４）。
【００３８】
（実施の形態５）
図９は本発明の実施の形態５による自動販売機の制御装置の機能ブロック図である。図１０は、同実施の形態の動作を示すフローチャートである。
【００３９】
図９において、４ｆは、外貨別に販売金額を積算する演算制御部である。
【００４０】
以上のように構成された自動販売機の制御装置について、以下その動作を図１０のフローチャートをもとにして説明する。
【００４１】
まず、為替レートを為替レート入力手段５から入力する（ＳＴＥＰ４５）。入力された為替レートは、為替レート記憶手段に記憶される（ＳＴＥ４６）。購入者は、カードをカード読取・書込手段１に挿入する（ＳＴＥＰ４７）。すると演算制御部４ｆは、残高表示手段３ａにカードの残高を表示する（ＳＴＥＰ４８）。次に商品選択手段２が押されると（ＳＴＥＰ４９）販売金額を為替レートで換算し（ＳＴＥＰ５０）、外貨別に販売金額を積算する（ＳＴＥＰ５１）。そして、換算した販売金額をカードから減算する（ＳＴＥＰ５２）。演算制御部４ｆは、カードの残高を表示し（ＳＴＥＰ５３）、商品を販売する（ＳＴＥＰ５４）。
【産業上の利用可能性】
【００４２】
以上のように、本発明にかかる自動販売機は、外貨のプリペイドカードでも商品を購入することができるので、プリペイドカードで商品を販売するあらゆる自動販売機器の用途にも適用できる。
【符号の説明】
【００４３】
１  カード読取・書込手段
２  商品選択手段
３ａ  残高表示手段
４ａ、４ｂ、４ｃ、４ｄ、４ｅ、４ｆ  演算制御部
５  為替レート入力手段
６  為替レート記憶手段
７  為替レート受信手段
８  為替レート表示手段
【図１】
2011048727.tif 000003
【図２】
2011048727.tif 000004
【図３】
2011048727.tif 000005
【図４】
2011048727.tif 000006
【図５】
2011048727.tif 000007
【図６】
2011048727.tif 000008
【図７】
2011048727.tif 000009
【図８】
2011048727.tif 000010
【図９】
2011048727.tif 000011
【図１０】
2011048727.tif 000012
【図１１】
2011048727.tif 000013
【図１２】
2011048727.tif 000014